(57)【特許請求の範囲】
【請求項１】
記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた吸引口と、前記ガイド面に前記記録材を沿わせるべく前記吸引口を通じて記録材を吸引する吸引手段と、を備え、
前記吸引口が配置されている幅が、前記記録材の搬送方向に関して前記転写部側よりも定着部側の方が大きく形成されているとともに，前記吸引口と前記吸引手段との間には、負圧室が設けられ、この負圧室の幅は、前記ガイド面と直交する方向から見て、前記転写部側よりも定着部側の方が大きく形成されていることを特徴とする画像形成装置。
【請求項２】
前記負圧室は、少なくとも、前記転写部側に位置する部位と、定着部側に位置する部位との２室に仕切られていることを特徴とする請求項１記載の画像形成装置。
【請求項３】
記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた、記録材の幅方向に列をなす複数の吸引口と、前記ガイド面に前記記録材を沿わせるべく前記吸引口を通じて記録材を吸引する吸引手段と、を備え、
前記吸引口の、前記記録材の搬送方向に関する長さが異なっており、長さの短い吸引口が前記定着部寄りに配置されているとともに，前記長さの短い吸引口は、記録材の幅方向において両側に配置されていることを特徴とする画像形成装置。
【請求項４】
記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた、記録材の幅方向に列をなす複数の吸引口と、前記ガイド面に前記記録材を沿わせるべく前記吸引口を通じて記録材を吸引する吸引手段と、を備え、
前記吸引口の、前記記録材の搬送方向に関する長さが異なっており、長さの短い吸引口が前記定着部寄りに配置されているとともに，前記吸引口と前記吸引手段との間には、負圧室が設けられ、この負圧室の幅は、前記ガイド面と直交する方向から見て、前記転写部側よりも定着部側の方が大きく形成されていることを特徴とする画像形成装置。
【請求項５】
前記負圧室は、少なくとも、前記転写部側に位置する部位と、定着部側に位置する部位との２室に仕切られていることを特徴とする請求項４記載の画像形成装置。
【発明の詳細な説明】
【０００１】
【発明の属する技術分野】
本発明は、記録材に画像（文字等を含む）を形成し、定着させて排出する画像形成装置に関する。主として電子写真技術を用いて記録材上にトナー像を形成し定着させて排出するプリンター、ファクシミリ、複写機等の画像形成装置に関し、特に、その記録材の、吸引手段を用いた搬送技術に関するものである。
【０００２】
【従来の技術】
一般に、電子写真技術を用いて用紙等の記録材上にトナー像を形成する画像形成装置は、回転駆動される感光体と、この感光体に露光して表面に静電潜像を形成する露光手段と、前記静電潜像を現像してトナー像となす現像手段と、そのトナー像を記録材に転写させる転写部と、この転写部によりトナー像が転写された記録材を通過させつつ加熱して記録材上にトナー像を定着させる定着部とを有している。
【０００３】
このような画像形成装置においては、転写部から定着部にいたる記録材の搬送が円滑になされないと、記録材上の未定着トナー像に乱れが生じるおそれがある。
そこで、従来、例えば図６に示すように、転写部１から定着部２にいたる記録材Ｓの搬送経路（４）に吸引手段としてのファン３を設け、このファン３で、転写部１から定着部２に向かう記録材Ｓをガイド面４に沿わせるべく吸引するようにした画像形成装置が知られている（特公平１−３４３７７号公報）。なお、この画像形成装置のファン３はストックされている記録材Ｓ’に送風して、記録材Ｓ’の除湿を行なうようになっている。
【０００４】
【発明が解決しようとする課題】
記録材Ｓをファン３で吸引してガイド面４に沿わせるためには、ガイド面４に吸引口を設ける必要があるが、この吸引口の設け方によっては以下のような問題が生ずることが分かった。
【０００５】
例えば図７に示すように、吸引口５としては、記録材Ｓの搬送方向（矢印Ｆ方向）に沿って長く延びるスリット状のものを複数個設けることができる。
しかしながら、このような吸引口５を設けると、図７に仮想線で示すように、記録材Ｓが定着部２で搬送され、その後端Ｓａが吸引口５を通過する過程で、吸引口５の一部５ａが開口すると、この開口（５ａ）を通じて空気が自由に流れることとなるため、ファン３の記録材Ｓに対する吸引力が減少し、記録材Ｓの後端Ｓａが跳ね上がってしまうという問題が生じた。
【０００６】
特に、定着部２においては、これを構成するローラの一方を逆クラウン形状とし、記録材Ｓをその幅方向へ引っ張る力を付与して皺の発生を防止するということがなされる場合があるが、このような場合には、記録材Ｓの後端Ｓａの両側が特に跳ね上がりやすいという問題があった。
【０００７】
本発明の目的は、以上のような問題を解決し、転写部から定着部にいたる記録材の移動が円滑になされ、記録材の後端跳ねが生じ難い画像形成装置を提供することにある。
【０００８】
【課題を解決するための手段】
上記目的を達成するために請求項１記載の画像形成装置は、記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた吸引口と、前記ガイド面に前記記録材を沿わせるべく前記吸引口を通じて記録材を吸引する吸引手段と、を備え、
前記吸引口が配置されている幅が、前記記録材の搬送方向に関して前記転写部側よりも定着部側の方が大きく形成されているとともに，前記吸引口と前記吸引手段との間には、負圧室が設けられ、この負圧室の幅は、前記ガイド面と直交する方向から見て、前記転写部側よりも定着部側の方が大きく形成されていることを特徴とする。
請求項２記載の画像形成装置は、請求項１記載の画像形成装置において，前記負圧室は、少なくとも、前記転写部側に位置する部位と、定着部側に位置する部位との２室に仕切られていることを特徴とする。
請求項３記載の画像形成装置は、記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた、記録材の幅方向に列をなす複数の吸引口と、前記ガイド面に前記記録材を沿わせるべく前記吸引口を通じて記録材を吸引する吸引手段と、を備え、
前記吸引口の、前記記録材の搬送方向に関する長さが異なっており、長さの短い吸引口が前記定着部寄りに配置されているとともに，前記長さの短い吸引口は、記録材の幅方向において両側に配置されていることを特徴とする。
請求項４記載の画像形成装置は、記録材上に未定着画像を転写する転写部と、この転写部により未定着画像が転写された記録材を搬送しつつ未定着画像を記録材に定着させる定着部と、前記転写部から定着部に向かう記録材を案内するガイド面と、このガイド面に設けられた、記録材の幅方向に列をなす複数の吸引口と、前記ガイド面に前記記録材を沿わせるべく前記吸引口を通じて記録材を吸引する吸引手段と、を備え、
前記吸引口の、前記記録材の搬送方向に関する長さが異なっており、長さの短い吸引口が前記定着部寄りに配置されているとともに，前記吸引口と前記吸引手段との間には、負圧室が設けられ、この負圧室の幅は、前記ガイド面と直交する方向から見て、前記転写部側よりも定着部側の方が大きく形成されていることを特徴とする。
請求項５記載の画像形成装置は、請求項４記載の画像形成装置において、前記負圧室は、少なくとも、前記転写部側に位置する部位と、定着部側に位置する部位との２室に仕切られていることを特徴とする。
【０００９】
【作用効果】
請求項１記載の画像形成装置によれば、転写部で未定着画像が転写された記録材が、ガイド面で案内されて定着部に向かい、定着部で搬送されつつ未定着画像が定着される。転写部から定着部に向かう記録材は、ガイド面に設けられた吸引口を通じて吸引手段で吸引されてガイド面に沿うこととなるので、その姿勢が安定して円滑に移動することとなる。
そして、前記吸引口が配置されている幅が、前記記録材の搬送方向に関して前記転写部側よりも定着部側の方が大きく形成されているので、次のような作用効果が得られる。
すなわち、記録材が搬送される過程で、その後端は、先ず、転写部側に位置する、小さな配置幅でもって配置された吸引口の上を通過し、次いで、定着部側に位置する、大きな配置幅でもって配置された吸引口の上を通過することとなる。
したがって、記録材の後端が、転写部側に位置する、小さな配置幅でもって配置された吸引口の上を通過する過程で、その吸引口の一部が開口した際、定着部側に位置する、大きな配置幅でもって配置された吸引口のうちの少なくとも一部の吸引口は依然としてその全開口が記録材によって覆われた状態となっている。
このため、転写部側に位置する、小さな配置幅でもって配置された吸引口の一部が開口し、その吸引口による記録材に対する吸引力が低下したとしても、記録材に対する吸引力は、定着部側に位置する、大きな配置幅でもって配置された吸引口によって依然として維持されることとなる。そしてこの吸引口は、定着部側に位置しているので、結果として、記録材の後端跳ねが生じ難くなる。
以上のように、この請求項１記載の画像形成装置によれば、転写部から定着部にいたる記録材の移動が円滑になされ、記録材の後端跳ねが生じ難くなる。
【００１０】
請求項２記載の画像形成装置によれば、転写部で未定着画像が転写された記録材が、ガイド面で案内されて定着部に向かい、定着部で搬送されつつ未定着画像が定着される。転写部から定着部に向かう記録材は、ガイド面に設けられた吸引口を通じて吸引手段で吸引されてガイド面に沿うこととなるので、その姿勢が安定して円滑に移動することとなる。
そして、前記吸引口は、記録材の幅方向に列をなして複数設けられているとともに、その長さは記録材の搬送方向に関して異なっていて、長さの短い吸引口が前記定着部寄りに配置されているので、次のような作用効果が得られる。
すなわち、記録材が搬送される過程で、その後端は、先ず、長さの長い吸引口の上を通過し、次いで、定着部寄りに配置された長さの短い吸引口の上を通過することとなる。
したがって、記録材の後端が、長い吸引口の上を通過する過程で、その吸引口の一部が開口した際、定着部寄りに配置された短い吸引口は依然としてその全開口が記録材によって覆われた状態となっている。
このため、長い吸引口の一部が開口し、その吸引口による記録材に対する吸引力が低下したとしても、記録材に対する吸引力は、定着部寄りに配置された短い吸引口によって依然として維持されることとなる。そしてこの吸引口は、定着部寄りに配置されているので、結果として、記録材の後端跳ねが生じ難くなる。
以上のように、この請求項２記載の画像形成装置によれば、転写部から定着部にいたる記録材の移動が円滑になされ、記録材の後端跳ねが生じ難くなる。
【００１１】
請求項３記載の画像形成装置によれば、請求項２記載の画像形成装置において、前記長さの短い吸引口が、記録材の幅方向において両側に配置されているので、記録材の後端両側の跳ねが有効に抑制されることとなる。
【００１２】
請求項４記載の画像形成装置によれば、請求項１，２，または３記載の画像形成装置において、前記吸引口と前記吸引手段との間には、負圧室が設けられ、この負圧室の幅が、前記ガイド面と直交する方向から見て、前記転写部側よりも定着部側の方が大きく形成されているので、吸引口の配置と負圧室とが適合し、結果として、より良好に、記録材の後端跳ねが抑制されることとなる。
【００１３】
請求項５記載の画像形成装置によれば、請求項４記載の画像形成装置において、前記負圧室は、少なくとも、前記転写部側に位置する部位と、定着部側に位置する部位との２室に仕切られているので、記録材の後端が吸引口の上を通過する過程で、その開口により、転写部側に位置する負圧室を介した吸引力が低下したとしても、定着部側に位置する負圧室を介した吸引力が確保され、結果として、記録材の後端跳ねがより良好に抑制されることとなる。
【００１４】
請求項６記載の画像形成装置によれば、転写部で未定着画像が転写された記録材が、ガイド面で案内されて定着部に向かい、定着部で搬送されつつ未定着画像が定着される。転写部から定着部に向かう記録材は、ガイド面に設けられた吸引口および負圧室を通じて吸引手段で吸引されてガイド面に沿うこととなるので、その姿勢が安定して円滑に移動することとなる。
そして、負圧室は、少なくとも、前記転写部側に位置する部位と、定着部側に位置する部位との２室に仕切られているので、記録材の後端が吸引口の上を通過する過程で、その開口により、転写部側に位置する負圧室を介した吸引力が低下したとしても、定着部側に位置する負圧室を介した吸引力が確保され、結果として、記録材の後端跳ねが抑制されることとなる。
すなわち、この請求項６記載の画像形成装置によれば、転写部から定着部にいたる記録材の移動が円滑になされ、記録材の後端跳ねが生じ難くなる。
【００１５】
【発明の実施の形態】
以下、本発明の実施の形態について図面を参照して説明する。
＜第１の実施の形態＞
図１は本発明に係る画像形成装置の第１の実施の形態の要部を示す概略側面図、図２（ａ）は部分省略平面図である。
【００１６】
これらの図において、１０は転写部であり、像担持体１１と転写ローラ１２とを有している。像担持体１１の表面には、図示しない画像形成手段によってトナー像が形成され、このトナー像が、像担持体１１と転写ローラ１２との間を通過する記録材Ｓ上に転写される。
【００１７】
２０は定着部であり、ローラ対２１，２２を有している。これらローラ２１，２２のうち少なくとも一方（または両方）のローラはその内部に熱源を有しており、前記転写部１０で未定着トナー像が転写された記録材Ｓを加熱しつつ搬送してトナー像を記録材Ｓに定着させる。ローラ２１，２２のうち一方は逆クラウン形状となっている。
【００１８】
３０は吸引ユニットであり、ケース３１と、このケース内に収納された吸引手段としてのファン３２とを有している。吸引ユニット３０は、前記転写部１０と定着部２０との間に配置されており、そのケース３１の上面３３が、転写部１０から定着部２０に向かう記録材Ｓを案内するガイド面を形成している。
ガイド面３３には、図２（ａ）に示すように、ファン３２によって記録材Ｓを吸引するためのスリット状の吸引口３５，３６が形成されている。
【００１９】
この実施の形態の特徴は、図２（ａ）に示すように、吸引口３５，３６が配置されている幅Ｌ１，Ｌ２が、記録材Ｓの搬送方向Ｆに関して転写部１０側よりも定着部２０側の方が大きく形成されている、すなわち、Ｌ１＜Ｌ２となっている点にある。
【００２０】
また、この実施の形態では、吸引口３５，３６の、記録材Ｓの搬送方向に関する長さが異なっており、長さの短い吸引口３６が定着部２０寄りに配置されている。この長さの短い吸引口３６は、記録材Ｓの幅方向（図２において左右方向）において両側に配置されている。
【００２１】
これら吸引口３５，３６とファン３２との間には、上記ケース３１の一部によって負圧室（吸引室）３７が形成されている。
【００２２】
ファン３２は、その軸線３４が、排気方向（この場合略下方）に向かうにつれて定着部２０側へ近づく方向へ傾斜するような状態で配置されており、これによって、ファン３２による排気方向（矢印Ａ参照）が転写部１０側よりも定着部２０側に向けて指向されている。このようにファン３２の軸線３４を、吸引口が形成されているガイド面３３と直交する線に対して傾斜させると、軸線３４をガイド面３３と直交する方向に配置した場合に比べて吸引力が増大することが実験で確認されている。
【００２３】
なお、吸引口３５，３６、少なくとも、より定着部２０側に配置される吸引口３６は、前記ローラ対２１，２２の圧接部（定着ニップ部）Ｎから記録材Ｓの搬送方向上流側に向かって１１０ｍｍ以内に配置することが望ましい。また、ファン３２の上面３２ａと吸引口が形成されているガイド面３３との間隔は、５ｍｍ以上とすることが望ましい。
【００２４】
ファン３２と転写部１０との間には、仕切り板６０が設けられている。
この仕切り板６０は、弾性体（例えばゴム板）で構成されており、その上部６１が吸引ユニット３０のケース３１の側面に固定されている。下部６２は、後述する返送路４３の引き出し可能なスライド部４６と密接しかつ摺接可能となっている。
４０は記録材Ｓの搬送路であり、図示しない給紙装置から転写部１０へ向けて記録材Ｓを供給する供給路４１と、定着部２０にてトナー像が定着された記録材Ｓを図示しない排紙部（例えば排紙トレイ）に排紙するための排紙路４２と、両面画像形成時のための返送路４３とを有している。
供給路４１には、転写部１０への記録材Ｓの搬送タイミングを規定するゲートローラ対５１が配置されている。
排紙路４２には、正逆転可能なローラ対５２と、このローラ対５２よりも下流側（図において上方）に設けられた同じく正逆転可能な排紙ローラ対（図示せず）とが設けられており、これらローラ対５２および排紙ローラ対が正転（図示矢印方向に回転）し続けることによって定着部２０からの記録材Ｓが所定の場所（例えば図示しない排紙トレイ）へと排出されるようになっている。
一方、定着部２０からの記録材Ｓが排紙路４２に進入し、その記録材Ｓの後端Ｓａがローラ対５２を通過した後、このローラ対５２および排紙ローラ対が逆転することによって、記録材Ｓがその前後が逆にされた状態で（すなわち前記後端Ｓａが先端となった状態で）、返送路４３へと給送されるようになっている。すなわち、排紙路４２は、記録材Ｓを、その前後を逆転させて返送路４３へ給送するスイッチバック経路を構成している。
返送路４３は、前記吸引ユニット３０の下方を通って、その終端部４４が前記供給路４１と合流している。返送路４３の適所には、記録材Ｓの搬送ローラ対（図示せず）が設けられている。
したがって、前記スイッチバック経路４２から返送路４３へと給送された記録材Ｓは、表裏が逆になった状態で前記供給路４１およびゲートローラ対５１を経て再び転写部１０へと供給され、その裏面にも画像が形成されることとなる。
返送路４３が吸引ユニット３０の下方を通過していることによって、吸引ユニット３０のファン３２は前記ガイド面３３と返送路４３との間に設けられた状態となっている。
また、返送路４３を形成している記録材Ｓのガイド板４５がファン３２からの排気Ａのガイドを構成している。
この返送路４３は、図１中Ｂ１部分および、Ｂ２部分で分割されており、これによって、図１において左方に引き出し可能なスライド部４６が形成されている。前記仕切り板６０は、その下部６２がスライド部４６（スライド部４６のガイド板４５上面）と摺接するようになっている。
【００２５】
以上のような画像形成装置によれば、次のような作用効果が得られる。
（ａ）転写部１０で未定着画像が転写された記録材Ｓが、ガイド面３３で案内されて定着部２０に向かい、定着部２０で加熱されつつ搬送されて未定着画像が定着される。転写部１０から定着部２０に向かう記録材Ｓは、ガイド面３３に設けられた吸引口３５，３６を通じて吸引手段３２で吸引されてガイド面３３に沿うこととなるので、その姿勢が安定して円滑に移動することとなる。
そして、前記吸引口３５，３６が配置されている幅が、記録材Ｓの搬送方向Ｆに関して転写部１０側よりも定着部２０側の方が大きく形成されている（Ｌ１＜Ｌ２となっている）ので、次のような作用効果が得られる。
すなわち、図２（ａ）に示すように、記録材Ｓが搬送される過程で、その後端Ｓａは、先ず、転写部１０側に位置する、小さな配置幅Ｌ１でもって配置された吸引口３５の上を通過し、次いで、定着部２０側に位置する、大きな配置幅Ｌ２でもって配置された吸引口３６の上を通過することとなる。
したがって、記録材Ｓの後端Ｓａが、転写部１０側に位置する、小さな配置幅Ｌ１でもって配置された吸引口３５の上を通過する過程で、その吸引口３５の一部３５ａが開口した際、定着部２０側に位置する、大きな配置幅Ｌ２でもって配置された吸引口（この実施の形態では吸引口３５，３６）のうちの少なくとも一部の吸引口３６は依然としてその全開口が記録材Ｓによって覆われた状態となっている（図２（ａ）参照）。
このため、転写部１０側に位置する、小さな配置幅Ｌ１でもって配置された吸引口３５の一部３５ａが開口し、その吸引口３５による記録材Ｓに対する吸引力が低下したとしても、記録材Ｓに対する吸引力は、定着部２０側に位置する、大きな配置幅Ｌ２でもって配置された吸引口３６によって依然として維持されることとなる。そしてこの吸引口３６は、定着部２０側に位置しているので、結果として、記録材Ｓの後端跳ねが生じ難くなる。
以上のように、この実施の形態の画像形成装置によれば、転写部１０から定着部２０にいたる記録材Ｓの移動が円滑になされ、記録材Ｓの後端跳ねが生じ難くなる。
【００２６】
（ｂ）吸引口３５，３６は、記録材Ｓの幅方向（図２において左右方向）に列をなして複数設けられているとともに、その長さは記録材Ｓの搬送方向Ｆに関して異なっていて、長さの短い吸引口３６が定着部２０寄りに配置されているので、次のような作用効果が得られる。
すなわち、例えば図２（ａ）に示すように、記録材Ｓが搬送される過程で、その後端Ｓａは、先ず、長さの長い吸引口３５の上を通過し、次いで、定着部２０寄りに配置された長さの短い吸引口３６の上を通過することとなる。
したがって、記録材Ｓの後端Ｓａが、長い吸引口３５の上を通過する過程で、その吸引口の一部３５ａが開口した際、定着部２０寄りに配置された短い吸引口３６は依然としてその全開口が記録材Ｓによって覆われた状態となっている。
このため、長い吸引口３５の一部３５ａが開口し、その吸引口３５による記録材Ｓに対する吸引力が低下したとしても、記録材Ｓに対する吸引力は、定着部２０寄りに配置された短い吸引口３６によって依然として維持されることとなる。そしてこの吸引口３６は、定着部２０寄りに配置されているので、結果として、記録材Ｓの後端跳ねが生じ難くなる。
以上のように、この実施の形態の画像形成装置によれば、転写部１０から定着部２０にいたる記録材Ｓの移動が円滑になされ、記録材Ｓの後端跳ねが生じ難くなる。
なお、この（ｂ）の作用効果は、図２（ａ）に示すように、長い吸引口３５が記録材の幅方向において中央部に配置され、その両側に短い吸引口３６が配置されている場合に限らず、例えば、長い吸引口３５と短い吸引口３６とが交互に配置されている場合にも得られる作用効果である。
【００２７】
（ｃ）長さの短い吸引口３６が、記録材Ｓの幅方向において両側に配置されているので、記録材Ｓの後端両側の跳ねが有効に抑制されることとなる。
【００２８】
（ｄ）吸引手段３２による排気方向（矢印Ａ参照）が転写部１０側よりも定着部２０側に向けて指向されているとともに、吸引手段３２と転写部１０との間には仕切り板６０が設けられているので、比較的高温の排気Ａが返送路４３に吹き付けられたとしても、その排気Ａが転写部１０に回り込むということがなくなる（少なくとも回り込み難くなる）。
したがって、転写部１０の温度上昇が低減され、結果として記録材Ｓへの画像の転写不良が発生し難くなる。
（ｅ）返送路４３を形成している記録材Ｓのガイド板４５が吸引手段３２からの排気Ａのガイドを構成しているので、排気流が円滑に流れることとなる。この実施の形態では、排気Ａはガイド板４５に案内されて図１の紙面と直交する方向へ流れることとなる。
したがって、排気Ａが転写部１０に回り込むという事態が一層生じ難くなり、転写部１０の温度上昇が確実に低減されて、結果として記録材Ｓへの画像の転写不良が一層発生し難くなる。
（ｆ）返送路４３は、引き出し可能なスライド部４６を有しているので、返送路４３に記録材Ｓが詰まったような場合には、このスライド部４６を図１おいて左方に引き出して記録材Ｓを取り除くことができる。記録材Ｓを取り除いた後は、右方へスライドさせて元の状態（図１参照）に戻す。
ところで、仕切り板によって前記排気Ａの転写部１０への回り込みを良好に防止するには、仕切り板と返送路４３とを密接させて排気が転写部側へ漏れないようにすることが望ましいが、返送路４３がスライド部４６を有しており、かつこのスライド部４６と仕切り板とを密接させたい場合には、これらスライド部４６と仕切り板との関係をどのように構成するか、ということが課題として生じてくる。
これに対し、この実施の形態の画像形成装置によれば、仕切り板６０を、スライド部４３と摺接する弾性体で構成してあるので、簡単な構成で、スライド部４６と仕切り板６０とを密接させることが可能となる。
【００２９】
＜第２の実施の形態＞
図２（ｂ）は本発明に係る画像形成装置の第２の実施の形態の要部を示す概略平面図である。同図において、上述した第１の実施の形態における部位と同一ないし相当する部位には同じ符号を付してある。
【００３０】
この実施の形態が上記第１の実施の形態と異なる点は、負圧室３７の幅が、ガイド面３３と直交する方向から見て、転写部１０側よりも定着部２０側の方が大きく形成されている点、すなわち負圧室３７が吸引口３５，３６の配置に適合させた形状となっている点にあり、その他の点に変わりはない。
負圧室３７の幅は、転写部１０側でＬ１、定着部２０側ではＬ２となっており、平面視で略凸形状となっている。
この実施の形態の画像形成装置によれば、上記第１の実施の形態による作用効果に加え、さらに次のような作用効果が得られる。
すなわち、負圧室３７の幅が、ガイド面３３と直交する方向から見て、転写部１０側よりも定着部２０側の方が大きく形成されていて、吸引口３５，３６の配置と負圧室３７とが適合しているので、結果として、より良好に、記録材Ｓの後端跳ねが抑制されることとなる。
なお、この作用効果は、図３に示すように、負圧室３７の形状を、吸引口３５，３６の配置に適合させた、平面視で略台形状とした場合にも得られる。
【００３１】
＜第３の実施の形態＞
図４は本発明に係る画像形成装置の第３の実施の形態の要部を示す概略側面図（図１の部分拡大図に相当する図）、図５は概略平面図である。これらの図において、前述した第１の実施の形態と同一部分あるいは相当する部分には同一の符号を付してある。
【００３２】
この実施の形態が上記第１ないし第２の実施の形態と異なる点は、負圧室３７が、転写部１０側に位置する部位（第１負圧室）３７ａと、定着部２０側に位置する部位（第２負圧室）３７ｂとの２室に仕切壁３７ｃで仕切られている点にあり、その他の点に変わりはない。
この実施の形態の画像形成装置によれば、上記第１ないし第２の実施の形態による作用効果に加え、さらに次のような作用効果が得られる。
すなわち、負圧室３７が、少なくとも、転写部１０側に位置する部位３７ａと、定着部２０側に位置する部位３７ｂとの２室に仕切られているので、図５に示すように、記録材Ｓの後端Ｓａが吸引口３５の上を通過する過程で、その開口３５ａにより、転写部１０側に位置する第１負圧室３７ａを介した吸引力が低下したとしても、定着部２０側に位置する第２負圧室３７ｂを介した吸引力が確保され、結果として、記録材Ｓの後端跳ねがより良好に抑制されることとなる。
【００３３】
以上、本発明の実施の形態について説明したが、本発明は上記の実施の形態に限定されるものではなく、本発明の要旨の範囲内において適宜変形実施可能である。
【００３４】
例えば、
▲１▼上記実施の形態では、吸引口は記録材の幅方向に列をなして複数配置されているが、請求項１記載の発明に関する限り、必ずしも吸引口は記録材の幅方向に列をなして複数配置する必要はない。
▲２▼上記第１の実施の形態では、図２（ａ）に示すように、長い吸引口３５が記録材の幅方向において中央部に配置され、その両側に短い吸引口３６が配置されている場合について説明しているが、請求項２記載の発明に関する限り、例えば、長い吸引口３５と短い吸引口３６とが交互に配置されている構成としてもよい。
▲３▼上記第３の実施の形態では、負圧室を２室に分けたが、３室以上に分けてもよい。
▲４▼請求項６記載の発明に関する限り、吸引口は、必ずしも、その配置幅を、記録材の搬送方向に関して転写部側よりも定着部側の方を大きく形成する必要もないし、必ずしもその長さを変える必要もない。
【００３５】
【発明の効果】
請求項１〜６記載のいずれの画像形成装置によっても、転写部から定着部にいたる記録材の移動が円滑になされ、記録材の後端跳ねが生じ難くなる。
さらに、
請求項３記載の画像形成装置によれば、記録材の後端両側の跳ねが有効に抑制されることとなる。
請求項４記載の画像形成装置によれば、より良好に、記録材の後端跳ねが抑制されることとなる。
請求項５記載の画像形成装置によれば、記録材の後端跳ねがより良好に抑制されることとなる。
【００３６】
【図面の簡単な説明】
【図１】本発明に係る画像形成装置の第１の実施の形態の要部を示す概略側面図。
【図２】（ａ）は本発明に係る画像形成装置の第１の実施の形態の要部を示す部分省略平面図、（ｂ）は本発明に係る画像形成装置の第２の実施の形態の要部を示す概略平面図である。
【図３】第２の実施の形態の変形例を示す概略平面図。
【図４】本発明に係る画像形成装置の第３の実施の形態の要部を示す概略側面図（図１の部分拡大図に相当する図）。
【図５】第３の実施の形態の概略平面図。
【図６】従来技術の説明図。
【図７】課題の説明図。
【符号の説明】
Ｓ    記録材
１０    転写部
２０    定着部
３０    吸引ユニット
３２    ファン（吸引手段）
３３    ガイド面
３５，３６  吸引口
３７    負圧室
【図１】
0003840840.tif 000002
【図２】
0003840840.tif 000003
【図３】
0003840840.tif 000004
【図４】
0003840840.tif 000005
【図５】
0003840840.tif 000006
【図６】
0003840840.tif 000007
【図７】
0003840840.tif 000008